(57)【要約】      （修正有）【課題】パーテーション上部に固着手段を持つことで転倒防止ができ、植物ごとプランターあるいは植木鉢を入れ替えれば何度も再生できるとともに、手間もかからず移し替えや後片付けができ、繁殖した植物によって構成されたグリーンパーテーションを提供する。【解決手段】室内に設けられるパーテーションは所定の高さからなり、プランターあるいは植木鉢を複数設置できる基台を上部が開口する長方形の箱型に作られてあって、その長さ方向の両端部には、該基台の両側に立設する棒部材が固定できる遊嵌貫通口が設けられてあり、該棒部材は横部材によって上部が連結され閉じられてあって、棒部材間に適宜大きさの網目からなるネットが張られ、プランターあるいは植木鉢に植えられたつる状に繁殖する植物によってネット全面を覆うようにしてあることを特徴とする。【選択図】図１
0003152711.tif 000002
【実用新案登録請求の範囲】
【請求項１】
室内に設けられるパーテーションは所定の高さからなり、プランターあるいは植木鉢を複数設置できる基台を上部が開口する長方形の箱型に作られてあって、その長さ方向の両端部には、該基台の両側に立設する棒部材が固定できる貫通口が設けられてあり、該棒部材は横部材によって上部が連結され閉じられてあって、棒部材間に適宜大きさの網目からなるネットが張られ、プランターあるいは植木鉢に植えられたつる状に繁殖する植物によってネット全面を覆うようにしてあることを特徴とするグリーンパーテーション。
【請求項２】
請求項１記載のグリーンパーテーションを形成する棒部材上部を延長し、先端部を天井部や壁部に固着手段を介して止めてあることを特徴とするグリーンパーテーション。
【請求項３】
請求項１及び請求項２に記載のグリーンパーテーションの棒部材の少なくとも一方には出入りの出来る片開き扉が設けられてあることを特徴とするグリーンパーテーション。
【考案の詳細な説明】
【技術分野】
【０００１】
本考案は室内用グリーンパーテーションに関する。
【背景技術】
【０００２】
従来は、室内の間仕切りや目隠しをする場合、金属製のフレームに曇りガラスやアクリル、布等を張ったパーテーションやスクリーンを設置したり、専用の台に植木鉢に植えられた植物を置いたりしていた。
なお関連技術に下記の物件がある。
【先行技術文献】
【特許文献】
【０００３】
【特許文献１】実開平７−３９３６６号公報
【特許文献２】実開平７−３９３７５号公報        上記文献１は、横長なプランターの左右側面にネット付の逆Ｕ字形フレームの左右末端部が差し込める形状の穴を有し、そのプランターと一体形である受皿の底面４ヶ所にキャスターを配し、プランターの移動を簡単にしたことを特徴とするパーティション・プランターとの記載があった。
【０００４】
さらに特許文献２は、フラワーボックスを横長薄型の形状とし、その前後面に受け皿取り付け用の溝、左右側面に大型把手を取り付けるためのネジ山付突起部と天井吊り用フック穴を設け一体形成とし、補強用バーをネット上部に組み込み、フック金具を取り付け、ネット下部に前述の方法で大型把手の横棒を配し、フラワーボックス左右に設けられたネジ山付突起部に支持体を通しナットで垂直にそれぞれ固定し、その支持体と前述のネット下部に組み込まれている横棒とを取り付け大型把手とし、フラワーボックス側面より受け皿取り付け用の溝を利用して受け皿を取り付け、前述のネット上部フック金具を使用し家屋のカーテンレールや天井に吊るせ、またネットに組み込まれている大型把手をフラワーボックスの底部に半回転させ、側面に設けた天井吊り用フック穴を介し吊れば、前述とはフラワーボックスの位置が上下逆の二通りの使用が可能となり、ネットをつる性植物の支柱とすることを特徴とするネット付フラワーボックスとの記載があった。
【考案の概要】
【考案が解決しようとする課題】
【０００５】
以上に述べたように従来室内の間仕切りや目隠しをする場合、金属製のフレームに曇りガラスやアクリル、布等を張ったパーテーションやスクリーンを設置したり、専用の台に植木鉢に植えられた鉢を置いたりしていた。しかし金属製の場合には画一的で衝撃により傷ついたり、ガラス面が割れたりする危険があった。また布製の場合は布が色あせたり、破れたりシミが付いて不衛生だったりして使えなくなり、安全管理や維持管理、処分等に手間がかかり苦労していた。
【０００６】
また、上記特許文献１のパーティション・プランターでは受皿とプランターが一体型となっているため、潅水の際プランターから受皿に流れ出した水が確認できず受皿から溢れ出したり、受皿に溜まったままになってしまい植物が根腐れを起こす問題がある。
【０００７】
さらに特許文献２では、ネット付フラワーボックスを天井やカーテンレールに吊るして設置するため、繁殖した植物の重量に耐えられず落下したり、カーテンレールを破損させる危険がある。またカーテンレールに吊るして使用した場合、カーテンの様に自由に開閉できないうえ、左右に開いたまま固定したり、ブラインドの様に巻き上げることも出来ない。そのため窓の鍵や雨戸の開閉、また窓ガラスの掃除等とても不便である。さらに植物が繁殖した状態で吊り下げられたネットを取り外すと、植物を傷つけてしまったり、落下させる危険もあり簡単に移動や撤去する事ができない。
【０００８】
さらに特許文献１、２とも横長なプランターやフラワーボックスに直に土が敷き詰められた中に、つる性植物が植え込まれているので使用季節が過ぎた後の後片付けに手間もかかり綺麗に片付けができなかった。
【０００９】
本考案では上記問題を解決する為に、パーテーション上部に固着手段を持つことで転倒防止ができ、植物ごとプランターあるいは植木鉢を入れ替えれば何度も再生できるとともに、手間もかからず移し替えや後片付けができ、繁殖した植物によって構成されたグリーンパーテーションを提供することを目的とするものである。
【課題を解決するための手段】
【００１０】
本考案は上記課題を解決するために、室内に設けられるパーテーションは所定の高さからなり、プランターあるいは植木鉢を複数設置できる基台を上部が開口する長方形の箱型に作られてあって、その長さ方向の両端部には、該基台の両側に立設する棒部材が固定できる貫通口が設けられてあり、該棒部材は横部材によって上部が連結され閉じられてあって、棒部材間に適宜大きさの網目からなるネットが張られ、プランターあるいは植木鉢に植えられたつる状に繁殖する植物によってネット全面を覆うようにしてあることを特徴とするグリーンパーテーション。
【００１１】
さらに上記記載のグリーンパーテーションを形成する棒部材上部を延長し、先端部を天井部や壁部に固着手段を介して止めてあることを特徴とするグリーンパーテーション。
【００１２】
また上記記載のグリーンパーテーションの棒部材の少なくとも一方には出入りの出来る片開き扉が設けられてあることを特徴とするグリーンパーテーション。
【考案の効果】
【００１３】
本考案は上記構成から成るので以下に示す効果が期待できる。
１  植物をパーテーションにすることで癒し効果が得られる。
２  植物を替えるだけで室内の雰囲気を変えることが出来る。
３  植物の蒸散作用で加湿効果が得られる。
４  空気をきれいにする。
５  窓の外に遮光を施すことが出来なくても、室内の窓際にグリーンパーテーションを設置する事で日差しを遮り室内温度の低減が図れる。
６  窓際に設置する事で植物が室内の目隠しとなりプライバシーが保てる。
７  室内で花や実を楽しむことが出来る。
８  設置しただけで話題になる。
９  職場の緊張感が和らぐ。
１０  移動が容易なので邪魔にならない。
【図面の簡単な説明】
【００１４】
【図１】グリーンパーテーションの正面図。
【図２】グリーンパーテーションの上部を延長した正面図。
【図３】グリーンパーテーションに片開き扉を設置した正面図。
【考案を実施するための形態】
【００１５】
以下、本考案の実施形態を図面を参照して説明する。
まず第１の考案は図１に示すように、プランターあるいは植木鉢３を複数設置できる基台２は木製や陶器、金属等からなり上部が開口した長方形の箱型に作られてあって、その長さ方向の両側に棒部材が固定できる貫通口４が設けられてある。
【００１６】
その貫通口４に通された横部材５から立設する縦部材６はジョイント７によって横部材８とジョイント７を介して連結され上段が閉じられてある。また該縦部材６は基台２側面に固着手段９をもって固定されている。
この棒部材は木製や金属、炭素繊維等からなり棒部材間には大きさ５ｃｍから１５ｃｍ位の網目からなるネット１０が張られてある。ネット１０は木製や金属、植物繊維等からなるものを使用する。
【００１７】
前記プランターあるいは植木鉢３にはアイビー、ツタ、アサガオなどのつる状に繁殖する植物１１が植えられてあり、繁殖させた植物１１によってネット１０全面が覆われた状態でグリーンパーテーション１を形成する。
その他にも枝葉が広がって面状に成長する植物でも枝をネットに複数箇所止めて固定することでグリーンパーテーション１を形成することもできる。
【００１８】
さらに第２の考案では図２に示すように、上記記載のグリーンパーテーション１の縦部材６上部をジョイント１２により延長し、その先端部を天井や下がり壁、壁面等１３に緩衝材１４や固着手段を介して固定することもできる。その際設置状況に応じて基台２両側に立設する縦部材６を設置に適した角度に調整後、縦部材６を固着手段９を介して基台２側面に固定する。その場合基台２を床面に固定しておくことは当然考えられる。
【００１９】
そして第３の考案では図３に示すように、上記記載のグリーンパーテーション１の縦部材６の少なくとも一方には、押し引きのできる片開き扉１５を設置し出入口を確保することもできる。出入口を確保することで複数個のグリーンパーテーション１を組み合わせて室内に独立したコーナーやスペースを構築することができる。このようにグリーンパーテーションを複数隣接して使用する場合には、少なくとも該棒部材の底部と上部には繋ぎ合わせる工夫は当然行っておく。
【００２０】
このグリーンパーテーション１に繁殖した植物１１の蒸散作用で加湿効果が得られるうえ、室内の窓際に設置することで日差しを遮る事ができ室内温度の低減がはかられる。また繁殖した植物１１が目隠しとなり窓を開けることもでき、更なる室内温度の低減がはかられる。
【００２１】
さらに室内に植物１１が繁殖していることで癒し効果があるうえ、グリーンパーテーション１の設置場所を替えて室内全体の雰囲気を変えることもできる。また基台２内のプランターや植木鉢３を入替えることでネット面１０に繁殖させる植物１１の種類を簡単に替えることもできる。
さらに植物１１をきゅうりやゴーヤ、トマト等の野菜にする事で、室内でも野菜を収穫する事も出来る。
【００２２】
基台２の内側底部及び側面に防水加工を施してもよい。また移動を簡単にするために、基台２外側底面に複数個のキャスターを取り付けることも当然この考案に含まれる。
また横部材５、８と縦部材６の連結はジョイント７、１２を介さずに直接固定することも考えられる。さらに基台２に通される横部材５を取り付けずに縦部材６を基台２に直接固着手段９を介して複数箇所固定することも合わせてこの考案に含まれる。
【符号の説明】
【００２３】
１  グリーンパーテーション
２  基台
３  プランター、植木鉢
４  貫通口
５  横部材
６  縦部材
７  ジョイント
８  横部材
９  固着部材
１０  ネット
１１  植物
１２  ジョイント
１３  天井、壁
１４  緩衝材
１５  片開き扉
【図１】
0003152711.tif 000003
【図２】
0003152711.tif 000004
【図３】
0003152711.tif 000005
【手続補正書】
【提出日】平成21年5月28日(2009.5.28)
【手続補正１】
【補正対象書類名】実用新案登録請求の範囲
【補正対象項目名】全文
【補正方法】変更
【補正の内容】
【実用新案登録請求の範囲】
【請求項１】
室内に設けられるパーテーションであって、プランターあるいは植木鉢を複数設置    できる基台を上部が開口する長方形の箱型に作られてあって、その長さ方向の両端部    には、該基台の両側に立設する棒部材が固定できる貫通口が設けられてあり、該棒部    材は横部材によって上部が連結され閉じられてあって、棒部材間にネットが張られ、    プラン  ターあるいは植木鉢に植えられたつる状に繁殖する植物によってネット全面    を覆うようにしてあることを特徴とするグリーンパーテーション。
【請求項２】
請求項１記載のグリーンパーテーションを形成する棒部材上部を延長し、先端部を    天井部や壁部に固着手段を介して止めてあることを特徴とするグリーンパーテーショ    ン。
【請求項３】
請求項１または請求項２に記載のグリーンパーテーションの棒部材の少なくとも一    方には出入りの出来る片開き扉が設けられてあることを特徴とするグリーンパーテー    ション。